(57)【要約】【課題】吸引力が急激に低下するのを防止することで集塵性能を向上させ、かつ小型化を実現した電気掃除機を提供することを目的とする。【解決手段】塵埃を含む吸引風が流入する流入口１０と略円形空間とを有する遠心分離部７を備え、前記遠心分離部７内に、前記遠心分離部７の内壁に沿って前記塵埃を含む吸引風を旋回させるための旋回部１１を配設したもので、略円形空間を有する遠心分離部７の内壁と旋回部１１との間で吸引風の旋回通路１１ａを形成することで、確実かつ高速旋回を生み出すことができ、その結果、塵埃と吸引風との分離性能が向上することで、集塵性能を向上することができる。【選択図】  図３
2004215760.tif 000002
【特許請求の範囲】
【請求項１】
塵埃を含む吸引風が流入する流入口と略円形空間とを有する遠心分離部を備え、前記遠心分離部内に、前記遠心分離部の内壁に沿って前記塵埃を含む吸引風を旋回させるための旋回部を配設した電気掃除機。
【請求項２】
旋回部の外方かつ遠心分離部の底面に、前記遠心分離部にて分離した塵埃を蓄積する塵埃蓄積室と連通する開口部を設けた請求項１記載の電気掃除機。
【請求項３】
流入口と開口部とを旋回流の上流方向にて区画するガイド部を、旋回部より延設して遠心分離部の内壁に接するように形成した請求項２記載の電気掃除機。
【請求項４】
吸引風を発する電動送風機と、吸引した塵埃を吸引風から分離し捕集する塵埃分離部と、前記塵埃分離部内に配設され、前記塵埃分離部を通過した後の塵埃を吸引風から遠心分離する遠心分離部とを備え、前記塵埃分離部の下方に、前記電動送風機と連通する連通部を設けた電気掃除機。
【請求項５】
連通部にフィルターを設けた請求項４記載の電気掃除機。
【請求項６】
吸引風を発する電動送風機と、吸引した塵埃を吸引風から分離し捕集する塵埃分離部と、前記塵埃分離部内に配設され、前記塵埃分離部を通過した後の塵埃を吸引風から遠心分離する遠心分離部とを備え、前記遠心分離部は、前記塵埃分離部を通過した後の塵埃が吸引風ともに内部へ流入する流入口を有するとともに、前記流入口の近傍に、前記吸引風が前記流入口に向かうように気流案内部を設けた電気掃除機。
【請求項７】
吸引風を発する電動送風機と、吸引した塵埃を吸引風から分離し捕集する塵埃分離部と、前記塵埃分離部内に着脱自在に配設され、前記塵埃分離部を通過した後の塵埃を吸引風から遠心分離する遠心分離部とを備え、前記遠心分離部は、前記塵埃分離部を通過した後の塵埃が吸引風ともに内部へ流入する流入口を有するとともに、前記塵埃分離部と前記遠心分離部を分離するとき、前記流入口に略接する塵埃除去部を、前記塵埃分離部の内壁に設けた電気掃除機。
【請求項８】
吸引風を発する電動送風機と、吸引した塵埃を吸引風から分離し捕集する塵埃分離部と、前記塵埃分離部内に着脱自在に配設され、前記塵埃分離部を通過した後の塵埃を吸引風から遠心分離する遠心分離部と、前記遠心分離部にて遠心分離した塵埃を蓄積し前記遠心分離部に一体的に形成された塵埃蓄積室とを備え、前記塵埃蓄積室は開口部を有するとともに、前記塵埃分離部と前記遠心分離部が連結しているときには、前記開口部は、前記塵埃分離部にて閉塞されてなる電気掃除機。
【発明の詳細な説明】
【０００１】
【発明の属する技術分野】
本発明は、電気掃除機の集塵構造に関するものである。
【０００２】
【従来の技術】
従来の電気掃除機の構成を図７を用いて説明する。有底の集塵室３１を設け、内部に吸気する吸気口３２を集塵室３１の側壁に接線方向に向け設けている。集塵室３１の上端開口部３３を覆うように蓋体３４を設け、この蓋体３４に排気口３５を設ける。また集塵室３１の上端開口部３３を覆うようにフィルター３６を取り付けている。電動送風機３７が運転すると、塵埃は吸込部３８より吸引され、吸気口３２より集塵室３１内に吸気され、集塵室３１内で遠心分離され、排気はフィルター３６を通して排気口３５より排出される（特許文献１参照）。
【０００３】
【特許文献１】
特開２００１−１０４２２３号公報
【０００４】
【発明が解決しようとする課題】
しかしながら上記従来の構成では、吸気口３２より吸引した塵埃がフィルター３６に付着、目詰まりを起こし、集塵室３１に塵埃が十分吸引されないまま吸引力が低下するということがあった。またこの目詰まり対策の為、フィルター３６の面積を大きくすることもあったが、集塵室３１そのものが大きくなり電気掃除機そのものが大型化してしまうという課題があった。
【０００５】
本発明は上記課題を解決するもので、吸引力が急激に低下するのを防止することで集塵性能を向上させ、かつ小型化を実現した電気掃除機を提供することを目的とする。
【０００６】
【課題を解決するための手段】
上記目的を達成するために本発明は、塵埃を含む吸引風が流入する流入口と略円形空間とを有する遠心分離部を備え、前記遠心分離部内に、前記遠心分離部の内壁に沿って前記塵埃を含む吸引風を旋回させるための旋回部を配設したもので、略円形空間を有する遠心分離部の内壁と旋回部との間で吸引風の旋回通路を形成することで、確実かつ高速旋回を生み出すことができ、その結果、塵埃と吸引風との分離性能が向上することで、集塵性能を向上することができる。
【０００７】
【発明の実施の形態】
本発明の請求項１記載の発明は、塵埃を含む吸引風が流入する流入口と略円形空間とを有する遠心分離部を備え、前記遠心分離部内に、前記遠心分離部の内壁に沿って前記塵埃を含む吸引風を旋回させるための旋回部を配設したもので、略円形空間を有する遠心分離部の内壁と旋回部との間で吸引風の旋回通路を形成することで、確実かつ高速旋回を生み出すことができ、その結果、塵埃と吸引風との分離性能が向上することで、集塵性能を向上することができる。
【０００８】
本発明の請求項２記載の発明は、旋回部の外方かつ遠心分離部の底面に、前記遠心分離部にて分離した塵埃を蓄積する塵埃蓄積室と連通する開口部を設けたもので、塵埃蓄積室と連通する開口部を遠心分離部の底面に設けたことで、前記遠心分離部にて分離した塵埃を前記塵埃蓄積室へ自重落下させることができ、簡易かつ低コストで塵埃の蓄積構成を実現できる。
【０００９】
本発明の請求項３記載の発明は、流入口と開口部とを旋回流の上流方向にて区画するガイド部を、旋回部より延設して遠心分離部の内壁に接するように形成したもので、流入口と開口部とを旋回流の上流方向にて区画するガイド部を、旋回部より延設して遠心分離部の内壁に接するように形成することで、略円形空間を有する遠心分離部の内壁と旋回部との間に形成された塵埃を含む吸引風の旋回通路の吸気下流側のみが前記開口部と連通する構成を実現でき、確実かつ高速旋回を生み出し、その結果、塵埃と吸引風との分離性能が向上することで、集塵性能を向上することができる。
【００１０】
本発明の請求項４記載の発明は、吸引風を発する電動送風機と、吸引した塵埃を吸引風から分離し捕集する塵埃分離部と、前記塵埃分離部内に配設され、前記塵埃分離部を通過した後の塵埃を吸引風から遠心分離する遠心分離部とを備え、前記塵埃分離部の下方に、前記電動送風機と連通する連通部を設けた電気掃除機で、遠心分離部より離れた塵埃分離部の下方に前記電動送風機と連通する連通部を設けたことで、塵埃分離部に捕集された塵埃は、吸引力により前記連通部側から蓄積されていくため、前記塵埃分離部内で蓄積されている塵埃の舞い上がりを防止でき、その結果、遠心分離部の流入口への塵埃の付着を防止できる。そのため、集塵性能を向上することができる。
【００１１】
本発明の請求項５記載の発明は、連通部にフィルターを設けたもので、吸引力により塵埃分離部の連通部側から蓄積されていく塵埃の、電動送風機への侵入を防止できる。そのため、電動送風機の品質向上を実現できる。
【００１２】
本発明の請求項６記載の発明は、吸引風を発する電動送風機と、吸引した塵埃を吸引風から分離し捕集する塵埃分離部と、前記塵埃分離部内に配設され、前記塵埃分離部を通過した後の塵埃を吸引風から遠心分離する遠心分離部とを備え、前記遠心分離部は、前記塵埃分離部を通過した後の塵埃が吸引風ともに内部へ流入する流入口を有するとともに、前記流入口の近傍に、前記吸引風が前記流入口に向かうように気流案内部を設けた電気掃除機で、塵埃分離部を通過した後の塵埃を含む吸引風を、効率良く遠心分離部の流入口へ向かわせることができるとともに、遠心分離部の流入口に付着した塵埃を除去することもできる。そのため、集塵性能を向上することができる。
【００１３】
本発明の請求項７記載の発明は、吸引風を発する電動送風機と、吸引した塵埃を吸引風から分離し捕集する塵埃分離部と、前記塵埃分離部内に着脱自在に配設され、前記塵埃分離部を通過した後の塵埃を吸引風から遠心分離する遠心分離部とを備え、前記遠心分離部は、前記塵埃分離部を通過した後の塵埃が吸引風ともに内部へ流入する流入口を有するとともに、前記塵埃分離部と前記遠心分離部を分離するとき、前記流入口に略接する塵埃除去部を、前記塵埃分離部の内壁に設けた電気掃除機で、前記塵埃分離部と前記遠心分離部を分離するとき、前記塵埃除去部が前記遠心分離部の流入口に略接することで、遠心分離部の流入口に付着した塵埃を除去することができる。そのため、集塵性能を向上することができる。また、塵埃分離部にて分離した塵埃を、前記塵埃分離部の下方（より遠心分離部より離れた方向に飛ばす効果も有している。
【００１４】
本発明の請求項８記載の発明は、吸引風を発する電動送風機と、吸引した塵埃を吸引風から分離し捕集する塵埃分離部と、前記塵埃分離部内に着脱自在に配設され、前記塵埃分離部を通過した後の塵埃を吸引風から遠心分離する遠心分離部と、前記遠心分離部にて遠心分離した塵埃を蓄積し前記遠心分離部に一体的に形成された塵埃蓄積室とを備え、前記塵埃蓄積室は開口部を有するとともに、前記塵埃分離部と前記遠心分離部が連結しているときには、前記開口部は、前記塵埃分離部にて閉塞されてなる電気掃除機で、前記塵埃分離部と前記遠心分離部が連結しているときには、塵埃蓄積室の一端は閉塞状態であるため、前記塵埃蓄積室内に気流は生じず、その結果、遠心分離部にて遠心分離され塵埃蓄積室に蓄積している塵埃を、再度遠心分離部へ逆流するのを防止できる。また、前記塵埃分離部と前記遠心分離部とを分離したときには、前記開口部より塵埃蓄積室に蓄積している塵埃が、前記塵埃分離部に落下するため、前記塵埃分離部に捕集されていた塵埃とともに、一度に廃棄できる。そのため、使用性および集塵性能を向上することができる。
【００１５】
【実施例】
以下、本発明の一実施例について、図１〜図６を用いて説明する。
【００１６】
図１は電気掃除機の正面図である。本掃除機は、下部に床面の塵埃を吸引する吸込具１、吸引風を発する電動送風機３を内蔵した掃除機本体１８、前記掃除機本体１８の上部に取っ手を有するハンドル部２、前記掃除機本体１８より着脱でき塵埃を捕集する集塵部４、この集塵部４と前記吸込具１を連通する吸引通路をで、前記ハンドル部２に固定して設けたホース５から構成されている。また、前記掃除機本体１８には、前記電動送風機３が発する排気を排出する排出穴（図示せず）が設けられている。
【００１７】
図２は電気掃除機の集塵部４を構成する、塵埃分離部６、遠心分離部７及び集塵蓋８であり、それぞれ左右方向へ回転させることで着脱自在となっている。塵埃分離部６は、水平方向に略円筒形状の壁面部１３を有し、有底に形成されている。また、塵埃分離部６の壁面部１３の一部には、吸込具１よりホース５を介して塵埃を含んだ気流が流入する第１流入口９が設けられていて、気流流速を増加させるために、略半円形断面としている。遠心分離部７は、前記塵埃分離部６より小径に形成されており、内部に略円形空間を有していて、前記塵埃分離部６内に配設されている。集塵蓋８は、エラストマーのような軟質材を外周に有し略円筒形状で、その軟質材の外径は、前記塵埃分離部６の壁面部１３の内周に密着できる径に形成されている。１２は前記電動送風機室３の吸引口（図示せず）と前記遠心分離部７の内部を連通する第１連通口でフィルターにて覆われている。１０は遠心分離部７内方へ塵埃を含んだ気流を流入する第２流入口で、フィルターにて覆われており、前記第１流入口９と対向しない位置に設けられている。
【００１８】
図３、図４は、それぞれ電気掃除機の遠心分離部７の上面図および側面図である。１０は遠心分離部７内方へ塵埃を流入する第２流入口、１４は遠心分離部に設けた略円筒形状の壁面部、１１は遠心分離部に設けた略円筒形状の壁面部１４の内方に設けられ、前記第２流入口１０より流入した塵埃を含む気流を、前記遠心分離部７の壁面部１４の内壁に沿って、旋回させるための旋回通路１１ａを形成するために配設した外形略円形状の旋回部１１である。前記外形略円形状の旋回部１１の内方のみが、前記第１連通口１２と連通する構成となっている。１５は前記旋回通路１１ａの吸気下流側かつ前記旋回部の外方で、遠心分離部７底面に設けた第１開口部である。１６は第２流入口１０と第１開口部１５とを旋回流の上流方向にて区画し、旋回部１１より延設して遠心分離部７の壁面部１４の内壁に接するように形成したガイド部で、前記旋回通路１１ａの吸気下流側のみが前記第１開口部１５と連通する構成としている。１７は前記第２流入口１０の近傍（前記第２流入口１０の下端）に、塵埃分離部６を通過した後の塵埃を含む吸引風の流れ方向と略平行に設けた気流案内部なるツメ部で、効率良く前記第２流入口１０へ気流を向かわせることができるとともに、前記第２流入口１０に付着した塵埃を除去する役割も成している。
【００１９】
また、２０は前記第１開口部１５と連通しかつ下方に一体的に形成された塵埃蓄積部で、前記塵埃蓄積部２０は、前記遠心分離部７にて分離した塵埃を蓄積するものである。前記塵埃蓄積部２０は、第２開口部２１を有し、前記遠心分離部７が塵埃分離部６と連結しているときは、前記第２開口部２１は前記塵埃分離部６の壁面部１３の内壁にて閉塞されている。
【００２０】
図５は、塵埃分離部６と遠心分離部７と集塵蓋８の組立図である。１９は電動送風機３の吸引口（図示せず）と塵埃分離部６の内部を連通する第２連通口で、前記塵埃分離部６の下方（遠心分離部７より離れた方向を意図する）に設けられており、フィルター２３にて覆われている。
【００２１】
図６は、図５のＡ−Ａ断面図である。２２は前記塵埃分離部６と前記遠心分離部７を分離するとき、第２流入口１０に略接する塵埃除去部なるツメ部である。前記塵埃分離部６と前記遠心分離部７を分離するときのツメ部２２の軌跡が、前記第２流入口１０の表面の略接するよう構成されている。
【００２２】
上記構成による動作作用を説明する。前記吸込具１より吸引した塵埃は、ホース５内を通った後、前記第１流入口９より前記塵埃分離部６に吸引される。第１流入口９より塵埃分離部６に吸引された塵埃を含む吸引風は、前記遠心分離部７の壁面部１４に衝突する。
【００２３】
質量の大きい塵埃は、塵埃分離部６内に捕集されるが、質量の小さい塵埃は、前記第２流入口１０を経て遠心分離部７内方へ吸引される。この遠心分離部７内方へ吸引された塵埃を含む気流は、前記遠心分離部７の壁面部１４の内壁と外形略円形状の旋回部１１とにより形成された旋回通路１１ａ内を旋回することで気流と塵埃は分離し、前記塵埃と分離した気流は、その後、前記旋回通路１１ａの吸気下流側の開放部より旋回部１１の内方に流入し、また、外形略円形状の旋回部１１の内方のみが、電動送風機３の吸引口（図示せず）と連通する第１連通口１２と連通する構成となっているため、前記気流は前記第１連通口１２を介して掃除機本体１８外へと排出される。
【００２４】
一方、前記気流と分離した塵埃は、第１開口部１５を介して塵埃蓄積部２０に蓄積される。前記塵埃蓄積部２０は、第２開口部２１を有しているが、前記遠心分離部７が塵埃分離部６と連結しているときは、前記第２開口部２１は前記塵埃分離部６の壁面部１３の内壁にて閉塞された状態であるため、前記塵埃蓄積室２０内に気流は生じず確実に内部に蓄積される。そのため、遠心分離部７にて遠心分離され塵埃蓄積室２０に蓄積している塵埃を、再度遠心分離部７へ逆流するのを防止できる。また、前記塵埃分離部２０と前記遠心分離部７とを分離したときには、前記第２開口部２１が開放となるため、前記第２開口部２１より塵埃蓄積室２０に蓄積している塵埃が、前記塵埃分離部６に落下するため、前記塵埃分離部６に捕集されていた塵埃とともに、一度に廃棄できる。
【００２５】
さらに、塵埃分離部６の内部と電動送風機３の吸引口（図示せず）とを連通する第２連通口１９を、前記塵埃分離部６の下方（遠心分離部７より離れた方向を意図する）にフィルター２３にて覆って設けているため、塵埃分離部６に捕集された塵埃は、吸引力により前記第２連通口１９側から蓄積されていく。そのため、前記塵埃分離部６内で蓄積されている塵埃の舞い上がりを防止でき、その結果、遠心分離部７の流入口への塵埃の付着を防止できる。
【００２６】
また、第２流入口１０の近傍（前記第２流入口１０の下端）に、塵埃分離部６を通過した後の塵埃を含む吸引風の流れ方向と略平行に設けた気流案内部なるツメ部１７を設けたことで、効率良く前記第２流入口１０へ気流を向かわせることができるとともに、前記第２流入口１０に付着した塵埃を除去することもできる。
【００２７】
さらに、前記塵埃分離部６と前記遠心分離部７を分離するときにツメ部２２の軌跡が、第２流入口１０に略接するよう塵埃分離部６の壁面部１３の内壁に設けてあるため、前記塵埃分離部６と前記遠心分離部７を分離するとき、遠心分離部７の第２流入口１０に付着した塵埃を除去することができる。
【００２８】
また、前記第１連通口１２には通気性を有するフィルターを設けて細塵の電動送風機３への侵入を防ぐとともに、遠心分離部７の第２流入口１０にも通気性を有するフィルターを設けて、遠心分離部に吸引する塵埃の大きさを制限し、前記第１連通口１２のフィルターの目の粗さを前記第２流入口１０のフィルターの目の粗さと同等もしくはそれより小さく設けることで、前記第２流入口１０のフィルターの圧損を前記第１連通口１２のフィルターの圧損と同等以下にでき、遠心分離部７への塵埃吸引をより確実に行うことができる。
【００２９】
また、遠心分離部７も集塵蓋８と着脱自在であることから、遠心分離部７内部の清掃や、万が一塵埃が集塵蓋８の第１連通口１２に付着しても、その除去等メンテナンスが容易に行える。
【００３０】
本実施例においては、スティックタイプの電気掃除機において説明を行っているが、形式や電源の形態を問わず、一般の掃除機全般についても同様な構成を採用可能である。
【００３１】
【発明の効果】
本発明によれば、吸引力が急激に低下するのを防止することで集塵性能を向上させ、かつ小型化を実現した電気掃除機を提供できる。
【図面の簡単な説明】
【図１】本発明の一実施例を説明する電気掃除機の正面図
【図２】同集塵部の略構成図
【図３】同遠心分離部の上面図
【図４】同遠心分離部の側面図
【図５】同塵埃分離部と遠心分離部と集塵蓋の組立図
【図６】図５のＡ−Ａ断面図
【図７】従来の掃除機の略構成図
【符号の説明】
４  集塵部
６  塵埃分離部
７  遠心分離部
８  集塵蓋
９  第１流入口
１０  第２流入口
１１  旋回部
１１ａ  旋回通路
１２  第１連通口
１５  開口部
２０  塵埃蓄積部
【図１】
2004215760.tif 000003
【図２】
2004215760.tif 000004
【図３】
2004215760.tif 000005
【図４】
2004215760.tif 000006
【図５】
2004215760.tif 000007
【図６】
2004215760.tif 000008
【図７】
2004215760.tif 000009